(57)【特許請求の範囲】
【請求項１】
ＣＰＵを備えるコンピュータに複数の充電器および蓄電池装置のうちの少なくとも一つに
送信する管理情報を生成させ、複数の前記充電器および蓄電池装置のうちの少なくとも一
つに前記管理情報を送信させる充放電制御プログラムであって、
前記ＣＰＵに、
複数の前記充電器からの放電量の合計値を演算し、前記合計値が予め定めた所定値以上
か否かを判定する充電器管理機能と、
前記充電器管理機能により前記合計値が前記所定値以上と判定された場合に、最も直近
に充電が終わる時刻と、現在の時刻との差分時間を演算し、前記蓄電池装置の蓄電量と前
記差分時間とから前記蓄電池装置からの放電量の上限値を設定し、前記合計値が前記上限
値と前記所定値の和よりも高い値となった場合に、時系列的に最後に充電を開始する予定
の充電器からの充電を抑制する蓄電池管理機能と、
を実現させる充放電制御プログラム。
【請求項２】
前記蓄電池管理機能は、
前記設定された上限値が第二の所定値よりも高い値となった場合に、前記第二の所定値
を前記上限値とする
請求項1に記載する充放電制御プログラム。
【請求項３】
前記蓄電池管理機能は、
前記差分時間の演算を、時系列的に複数番目に充電を終える蓄電池と、現在の時刻との
差分時間を演算する
請求項１に記載する充放電制御プログラム。
【請求項４】
複数の充電器からの放電量の合計値を演算し、前記合計値が予め定めた所定値以上か否
かを判定する充電器管理手段と、
前記充電器管理手段により前記合計値が前記所定値以上と判定された場合に、最も直近
に充電が終わる時刻と、現在の時刻との差分時間を演算し、蓄電池装置の蓄電量と前記差
分時間とから前記蓄電池装置からの放電量の上限値を設定し、前記合計値が前記上限値と
前記所定値の和よりも高い値となった場合に、時系列的に最後に充電を開始する予定の充
電器からの充電を抑制する蓄電池管理手段と
を備える管理サーバ。
【請求項５】
蓄電池に電力を供給する複数の充電器と、
電力を貯蔵する蓄電池装置と、
複数の前記充電器からの放電量の合計値を演算し、前記合計値が予め定めた所定値以上
か否かを判定する充電器管理機能と、
前記充電器管理機能により前記合計値が前記所定値以上と判定された場合に、最も直近
に充電が終わる時刻と、現在の時刻との差分時間を演算し、前記蓄電池装置の蓄電量と前
記差分時間とから前記蓄電池装置からの放電量の上限値を設定し、前記合計値が前記上限
値と前記所定値の和よりも高い値となった場合に、時系列的に最後に充電を開始する予定
の充電器からの充電を抑制する蓄電池管理機能とを備える管理サーバと、
を備える充放電制御システム。
【発明の詳細な説明】
【技術分野】
【０００１】
本発明の実施形態は、充放電制御プログラム、管理サーバ、充放電制御システムに関する
。
【背景技術】
【０００２】
電気自動車の普及に伴い（急速）充電器を複数設置した充電スタンドが各地に設置され
ている。
【先行技術文献】
【特許文献】
【０００３】
【特許文献１】特開２０１１−１１３４８４号
【発明の概要】
【発明が解決しようとする課題】
【０００４】
一の充電スタンド内にある複数数台の充電器が同時稼動した場合、充電スタンドとして
の商用系統からの供給可能電力を超過する可能性が十分にある。この際、充電スタンドを
利用できないユーザ（車両）が発生してしまう可能性がある。
【０００５】
そこで、本実施形態の充放電制御方法は、充電スタンドに商用系統とは別に電力を供給
する電力供給装置を設け、該電力供給装置と商用系統からの電力供給との連携を適切に管
理するより、円滑に充電器を介してユーザ（車両）に電力を提供させることを目的とする
。
【課題を解決するための手段】
【０００６】
本充放電制御プログラムは、ＣＰＵを備えるコンピュータに充電器および蓄電池装置のう
ちの少なくとも一つに送信する管理情報を生成させ、前記充電器および蓄電池装置のうち
の少なくとも一つに前記管理情報を送信させる充放電制御プログラムであって、前記ＣＰ
Ｕに、複数の前記充電器からの放電量の合計値を演算し、前記合計値が予め定めた所定値
以上か否かを判定する充電器管理機能と、前記充電器管理機能により前記合計値が前記所
定値以上と判定された場合に、最も直近に充電が終わる時刻と、現在の時刻との差分時間
を演算し、前記蓄電池装置の蓄電量と前記差分時間とから前記蓄電池装置からの放電量の
上限値を設定し、前記合計値が前記上限値と前記所定値の和よりも高い値となった場合に
、時系列的に最後に充電を開始する予定の充電器からの充電を抑制する蓄電池管理機能と
、を実現させる。
【図面の簡単な説明】
【０００７】
【図１】第１の実施形態の充放電制御システムの一例を示す図。
【図２】第１の実施形態に係る管理サーバ１０、充電器２０、蓄電池装置３０のブロック図。
【図３】第１の実施形態に係る充電器情報ＤＢ１６１に格納されたテーブルの一例を示す図。
【図４】第１の実施形態に係る蓄電池情報ＤＢ１６２に格納されたテーブルの一例を示す図。
【図５】第１の実施形態に係る充電器ＤＢ２６１に格納されたテーブルの一例を示す図。
【図６】第１の実施形態に係る蓄電池ＤＢ３６１に格納されたテーブルの一例を示す図。
【図７】第１の実施形態に係る放電量と供給可能電力の関係の一例を示す図。
【図８】第１の実施形態に係る放電量と供給可能電力の関係の一例を示す図。
【図９】第１の実施形態に係る充放電制御システムの動作を示すフローチャート。
【図１０】第１の実施形態の変形例を示す図。
【図１１】第１の実施形態の変形例を示す図。
【図１２】第１の実施形態の変形例を示す図。
【発明を実施するための形態】
【０００８】
以下、本発明の実施態様について図１乃至図１２を参照しながら説明する。
【０００９】
（第１の実施形態）
本実施形態の充放電制御システムは、管理サーバ１０で実行されるプログラム群より、
充電器２０と蓄電池装置３０とを制御するコンピュータシステムである。
【００１０】
例えば、充放電制御システムは充電器を備える高速道路のサービスエリア／パーキング
エリア（ＳＡ／ＰＡ）、娯楽施設などの施設に併設される駐車場に設置される。
【００１１】
この際、蓄電池装置３０の放電容量［Ｗｈ］、［Ａｈ］は、通常は、電力使用量平準化
のために使用される容量の範囲で設定される。この蓄電池装置３０から大量に放電すると
、短時間で容量不足（供給能力不足）となることが予想される。よって、本システムでは
、限られた一定容量の蓄電池装置３０を効率良く利用することを目的としている。
【００１２】
図１は、本実施形態の充放電制御システム及び車両などの端末のネットワーク構成図であ
る。車両に代えて持ち運び可能な定置型の電池装置であってもよい。本実施形態において
、充放電制御システムの構成要素の一つである管理サーバ１０は、処理機能に応じて装置
をＬＡＮ、イントラネット等を介して組み合わせたサーバ群で構成することができる。
【００１３】
通信ネットワーク１は、一方向または双方向通信可能台数なネットワーク網である。本
実施形態ではネットワーク１がＬＡＮ、イントラネット等の有線通信網としているが、各
種無線通信網に代替することができる。
【００１４】
管理サーバ１０は、ＣＰＵ１００と、ＲＡＭ（ＲＷＭ）１１０と、通信ＩＦ１２０と、
入力ＩＦ１３０と、表示ＩＦ１４０と、ＲＯＭ１５０と、記憶部１６０とを含む構成であ
る。その他、ＵＳＢメモリ等の外部記憶装置を装着するＩＦ（インターフェース）や時間
をカウントするタイマを備えていてもよい。管理サーバ１０は、いわゆるコンピュータで
ある。
【００１５】
管理サーバ１０は、充電器２０と、蓄電池装置３０とインターネットなどの通信ネット
ワーク１を介して通信を行う。
【００１６】
ＣＰＵ１００は、ＲＯＭ１５０に予め書き込んだ各プログラムをＲＡＭ１１０に読み出
し、算出処理を行う演算処理部（マイクロプロセッサ）である。ＣＰＵ１００は、機能に
合わせて複数のＣＰＵ群（マイクロコンピュータ、マイクロコントローラ）で構成するこ
とができる。またＣＰＵ内にＲＡＭ機能をもった内蔵メモリを備えていてもよい。
【００１７】
ＲＡＭ（ＲＷＭ）１１０は、ＣＰＵ１００がプログラムを実行するに際して使用する記
憶エリアであって、ワーキングエリアとして用いられるメモリである。処理に必要なデー
タを一次記憶させるのに好適である。
【００１８】
通信ＩＦ１２０は、蓄電池装置とデータ授受を行う通信装置、通信手段である。たとえ
ば、ルーターがある。本実施形態では通信ＩＦ２０と充電器２０と、蓄電池装置３０との
接続は有線通信のごとく記載しているが、各種無線通信網に代替することができる。また
、通信ＩＦ２０と充電器２０と、蓄電池装置３０との接続は一方向または双方向通信可能
台数なネットワークを介して行われる形態であってもよい。
【００１９】
入力ＩＦ１３０は、入力部１３１と管理サーバ１０とを接続するインターフェースであ
る。入力部１３１から送られてきた入力信号を変換しＣＰＵ１００が認識可能な信号に変
換する入力制御機能を有していても良い。本ＩＦは端子等として必須の構成要素ではなく
直接管理サーバ１０内の配線と接続されていてもよい。
【００２０】
入力部１３１は、コンピュータ装置が一般に備えている各種キーボードやボタン等の入
力制御を行う入力装置、入力手段である。その他、人の発する声を認識することにより、
入力信号として認識または検出する機能を備えていてもよい。本実施形態では管理サーバ
１０の外部に設置しているが管理サーバ１０に組み込まれていている形態であってもよい
。
【００２１】
表示ＩＦ１４０は、表示部１４１と管理サーバ１０とを接続するインターフェースであ
る。ＣＰＵ１００から表示ＩＦ１４１を介して表示部１３０の表示制御がおこなわれても
よいし、グラフィックボードなど描画処理を行うＬＳＩ（ＧＰＵ）により表示制御が行わ
れてもよい。表示制御機能として例えば、画像データを復号化するデコード機能がある。
ＩＦを使用せず管理サーバ１０内部に直接接続される形態であってもよい。
【００２２】
表示部１４１は、液晶ディスプレイ、有機ＥＬディスプレイ、プラズマディスプレイな
どの出力装置、出力手段である。その他、音を発する機能を備えていてもよい。本実施形
態では管理サーバ１０の外部に設置しているが管理サーバ１０の内部に組み込まれていて
もよい。
【００２３】
ＲＯＭ１５０は、蓄電池制御プログラム１５１と、充電器制御プログラム１５２と、を
格納するプログラムメモリである。データの書き込みはできない非一次記憶媒体を用いる
ことが好適であるが、データの読み出し、書き込みが随時できる半導体メモリ等の記憶媒
体であってもよい。その他、画像データを表示部１４１にて人が認識可能な文字や図柄を
表示させる表示プログラムや、管理サーバ１０で演算した電力供給可能量などの情報を通
信ＩＦ１２０を介して充電器２０に配信させるプログラム、取得したデータを記憶部１６
０に記憶させる情報登録プログラムなどが格納されていてもよい。
【００２４】
充電器管理プログラム１５１は、充電器２０の放電量を管理する機能をＣＰＵ１００に
実現させる手段である。
【００２５】
具体的には、複数台の充電器２０から送られてくる放電量およびまたは（車両などの）
蓄電池の容量を取得し、充電器情報ＤＢ１６１に格納する。複数台の充電器２０の総放電
量を例えば予め充電器情報ＤＢ１６１に格納された（式１）を読み出し演算し、同様に予
め用意された（式２）を読み出し商用系統や太陽光発電などにより供給することができる
実際の最大値である最大電力量供給量Ａとの比較を行う。
【００２６】
この場合、商用系統側から供給できる最大の電力量が最大電力供給することができる値
Ａよりも低い値に設定されていることが好適である。実際の最大電力供給することができ
る値Ａとすると、電力供給機器による電力供給が強制遮断されてしまう可能性があるから
である
総放電量［ｗ］＝充電器２０Ａの放電量＋充電器２０Ｂの放電量＋                  
……充電器２０Ｎの放電量      （式１）
総放電量［ｗ］＞＝最大電力供給量Ａ×一定値ｋ（０≦ｋ≦１）            （式２）
比較した結果、総放電量の方が所定の値（最大電力供給量Ａ×一定値ｋ）よりも大きい
と判断されると蓄電池管理プログラム１５２をＲＯＭ１５０から読み出す機能をＣＰＵ１
００に実現させる。
【００２７】
例えば、最大電力供給量Ａが５００００［ｗ］でｋ＝０．９であったとき、蓄電池管理
プログラム１５２に通知する総放電量は４５０００［ｗ］となる。充電器２０Ａから充電
器２０（Ｎ−１）の放電量の合計が４４５００［ｗ］であって、充電器２０Ｎの放電量が
６００［ｗ］以上であった場合に、（式２）を演算し所定の値より大きいことを検知（検
出）し蓄電池管理プログラム１５２を読み出す。
【００２８】
なお、充電器管理プログラム１５１は、演算した結果およびまたは次の蓄電池管理プロ
グラム１５２が必要なデータを順次充電器情報ＤＢ１６１に格納する機能をＣＰＵ１００
に実現させてもよい。その他、車種などの識別番号を取得して、充電器情報ＤＢ１６１に
格納しても良い。
【００２９】
蓄電池管理プログラム１５２は、蓄電池装置３０の充放電を管理する機能をＣＰＵ１０
０に実現させる。
【００３０】
具体的には、蓄電池装置３０から供給できる最大供給可能電力量に関する情報（最大供
給可能電力量Ｂ）を取得し、その最大供給可能電力量に基づき、充電器２０から充電可能
な量の総量およびまたは表示部１４１に表示する電力量を演算する。また、車両などに搭
載された蓄電池に充電する予測充電時間を蓄電池の種類などから演算およびまたは車両の
カーナビゲーションシステムや充電器２０から取得する。
【００３１】
予測充電時間は、下記の（式３）
予測充電時間＝蓄電池の容量／放電量                                    （式３）
を用いて算出することができる。
【００３２】
例えば、車両に搭載される蓄電池の容量が４００［Ｗｈ］で放電量（充電電力）が４０
０Ｗであれば予測充電時間は、１時間となる。
【００３３】
このように予測充電時間を演算することで、最も直近に充電が終わる時間と現在の時刻
との差分時間を演算する。その差分時間を用いて、最も直近に充電が終わる充電器２０よ
りも長い時間電力を供給することができる電力量を演算する。
【００３４】
例えば、充電器２０Ａが最も直近に充電が終わり、その残りの差分時間（図３）が３０
［分］であったとする。
【００３５】
この場合、蓄電池装置３０の供給可能な電池容量が１００００［Ｗｈ］あれば、２００
００［ｗ］まで蓄電池装置３０から最大電力供給が可能であるとの演算結果を出力する。
【００３６】
例えば、充電器２０Ｂが最も直近に充電が終わり、その残りの予測充電時間が２時間で
あったとする。
【００３７】
この場合、蓄電池装置３０の供給可能な電池容量（残容量、ＳＯＣ）が１００００［Ｗ
ｈ］あれば、５０００［ｗ］まで蓄電池装置３０から最大電力供給が可能であるとの演算
結果を出力する。
【００３８】
このような演算を繰り返し行い、商用系統（および太陽光発電装置等）と蓄電池装置３
０から供給する電力量の上限を決定する。
【００３９】
演算した結果を用いて蓄電池装置３０の放電電力量［ｗ］値の上限を設定する。この上
限値を充電器の総放電量が超えない範囲で放電を行うよう制御信号を蓄電池装置３０へ送
る。上限値を超えるような放電要求が車両などからなされた場合、その充電器に対して放
電をしないよう制御信号を送るなどして、放電量の合計が上限値を超えないよう制御する
。
【００４０】
この際、充電器２０の表示部で３４１に直近の他の充電器の放電終了までの予想終了時
間を表示させてもよい。
【００４１】
記憶部１６０は、ハードディスクドライブ（ＨＤＤ）などの不揮発性の記憶装置、記憶
手段である。この他、不揮発性の記憶手段に限られることなく半導体メモリ（フラッシュ
メモリ、ＲｅＲＡＭ、ＭＲＡＭ、ＳＳＤ）等の各種記憶媒体を利用してもよいし、これら
の半導体メモリと、ＨＤＤとを組み合わせた方式を採用した記憶媒体であってもよい。本
実施形態では、ＲＯＭ１５０と記憶部１６０とは別の記憶媒体のごとく記載しているが、
ＲＯＭと記憶部を併せて一の記憶部、記憶手段としてもよい。
【００４２】
記憶部１６０は、充電器情報ＤＢ１６１と蓄電池情報ＤＢ１６２を格納。その他、ＣＰ
Ｕ１００が演算処理に必要なデータが記憶されている。
【００４３】
充電器情報ＤＢ１６１は、管理する各充電器２０（Ａ，…，Ｎ）から送られてきた放電
量に関する情報を格納する。例えば、図３に記載するように各充電器２０毎に放電量を格
納する。これをグラフ化すると、図７に示すように表すことができる。
【００４４】
蓄電池情報ＤＢ１６２は、管理する蓄電池装置３０の蓄電容量の値などに関する情報を
格納する。
【００４５】
充電器２０は、車両に搭載された蓄電池などの充電のために電力を供給する電力供給手
段である。充電器２０は、ＣＰＵ２００と、ＲＡＭ（ＲＷＭ）２１０と、通信ＩＦ２２０
と、入力ＩＦ２３０と、表示ＩＦ２４０と、ＲＯＭ２５０と、記憶部２６０とを含む構成
である。その他、ＵＳＢメモリ等の外部記憶装置を装着するＩＦ（インターフェース）や
時間をカウントするタイマを備えていてもよい。管理サーバ１０に含まれる各構成要素と
同様の名称のものについては、機能が同様であり説明を省略する。充電器２０は、高速道
路のパーキングエリアなどに設置されていても良いし、市街地のレストランや、車両を販
売するディーラーに設置されていても良い。
【００４６】
ＲＯＭ２５０は、充電器制御プログラム２５１を格納する。
【００４７】
充電器制御プログラム２５１は、外部の蓄電池への放電を制御する機能をＣＰＵ２００
に実現させる手段である。
【００４８】
具体的には、管理サーバ１０に放電量および充電する対象となる蓄電池に充電すべき容
量の値に関するデータを送信する。また、管理サーバ１０から送られてきた制御信号をも
とに車両に搭載された蓄電池への放電または放電量を制限するなどの制御を行う機能をＣ
ＰＵ２００に実現させる。
【００４９】
記憶部２６０は、充電器情報ＤＢ２６１を備える。
【００５０】
蓄電池情報ＤＢ２６１は、充電器制御プログラム２５１により充電器の放電の制御に関
する情報を格納する。
【００５１】
蓄電池装置３０は、管理サーバ１０から送られてくる信号によって蓄電池への充放電を
行う。管理サーバ１０から送られてくる放電電力量の上限値以下となるよう放電量を調整
する。蓄電池装置３０は、ＣＰＵ３００と、ＲＡＭ（ＲＷＭ）３１０と、通信ＩＦ３２０
と、入力ＩＦ３３０と、表示ＩＦ３４０と、ＲＯＭ３５０と、記憶部３６０とを含む構成
である。その他、ＵＳＢメモリ等の外部記憶装置を装着するＩＦ（インターフェース）や
時間をカウントするタイマを備えていてもよい。管理サーバ１０に含まれる各構成要素と
同様の名称のものについては、機能が同様であり説明を省略する。
【００５２】
ＲＯＭ３５０は、蓄電池制御プログラム３５１を格納する。
【００５３】
蓄電池制御プログラム３５１は、蓄電池装置３０に備えられた蓄電池の充放電を制御す
る機能をＣＰＵ３００に実現させる手段である。
【００５４】
具体的には、管理サーバ１０から送られてくる制御信号により放電量を制御する。また
、蓄電池３０に備えられる蓄電池の残容量に関する情報を管理サーバ１０へ通知する機能
をＣＰＵ３００に実現させる。
【００５５】
記憶部３６０は、蓄電池情報ＤＢ３６１を備える。
【００５６】
蓄電池情報ＤＢ３６１は、制御サーバ１０から送られてきた蓄電池制御プログラム３５
１により蓄電池の制御に関する情報などを格納する。
【００５７】
次に本実施形態の充放電制御システムの動作について図８を用いて説明する。
【００５８】
図９は、第１の実施形態の充放電制御システムの動作を示すフローチャートである。
【００５９】
（ステップＳ１０１）管理サーバ１０は、各充電器２０（Ａ，…，Ｎ）から少なくとも放
電電力［Ｗ］の値および充電する容量［Ｗｈ］を取得する。また、蓄電池装置３０からも
残容量［Ｗｈ］などの蓄電池情報を取得する。
【００６０】
（ステップＳ１０２）管理サーバ１０は、充電器管理プログラム１５１を実行し、ステッ
プＳ１０１で取得した放電電力（放電量）［Ｗ］を合算し総放電量を算出する。
【００６１】
（ステップＳ１０３）管理サーバ１０は、充電器管理プログラム１５１を実行し、上記合
算した総放電量が予め定められた一定値以上の値になるか否かの判定を行う。
【００６２】
一定値以下であるまたは一定値より少ないと判定された場合は、ステップＳ１０１の処
理に戻る（ＮＯ）。
【００６３】
（ステップＳ１０４）管理サーバ１０は、一定値より大きいまたは一定値以上であると判
定された場合に、最も直近に放電が完了する時間［ｈ］と蓄電池装置３０の残容量［Ｗｈ
］とから、蓄電池出力上限値［Ｗ］を算出する。
【００６４】
（ステップＳ１０５）管理サーバ１０は、上記蓄電池出力上限値を超えない範囲で蓄電池
装置３０の出力および充電器２０の出力を制御する。
【００６５】
なお蓄電池情報の取得は、常に行わず、ステップＳ１０３において、商用系統では電力
を賄いきれないと判断した場合に取得しても良い。
【００６６】
このように、一定して電力を供給できる商用系統と、電力を供給するにつれて容量が減
少する蓄電池を合算した供給可能な電力量を適切に算出することができる。また、結果と
して蓄電池の容量を使い果たす時間が長期化される。この長期化した期間内に例えば図９
に示すように蓄電池装置３０の蓄電池に充電する機会を与えることができる可能性を高め
ることができる。
【００６７】
（第２の実施形態）
本実施形態の充放電制御システムは、第１の実施形態のステップＳ１０４における蓄電
池出力上限値の算出方法が異なる。
【００６８】
本実施形態の蓄電池管理プログラム１５２は、蓄電池出力の上限値に一定値を設ける機
能をＣＰＵ１００に実現させる機能をさらに備えている。例えば、（式４）や（式５）な
どである。
【００６９】
本実施形態の蓄電池情報ＤＢ１６２は、予測充電時間の下限値の値を格納する。
【００７０】
具体的に例示すると、直近に充電を終了する充電器２０の予測充電時間が１［ｈ］未満
である場合、残容量［Ｗｈ］に対して上限値を高く設定しすぎてしまう可能性がある。
【００７１】
これを防ぐため、
予測充電時間≦１．０［ｈ］                                              （式４
）
の場合、電池の残容量の値をそのまま上限値とする。
【００７２】
または、
電池出力上限値［Ｗ］≧電池残容量値［Ｗｈ］                              （式５
）
の場合、電池残容量の値を上限値とする。
【００７３】
なお、（式４）において１．０［ｈ］に限ることなく、２．０［ｈ］，０．５［ｈ］，
０．２５［ｈ］など適宜下限とする予測充電時間を設定しても同様である。
【００７４】
図９を用いて動作を説明すると、ステップＳ１０４における上限値算出において上記演
算処理を行う。
【００７５】
（ステップＳ１０４）管理サーバ１０は、総放電量が予め定められた一定値より大きいま
たは一定値（例えば、１．０［ｈ］）以上であると判定された場合に、最も直近に放電が
完了する時間が（式４）から一定時間以内か否かを判定する。一定時間以上であれば最も
直近に放電が完了する時間［ｈ］と蓄電池装置３０の残容量［Ｗｈ］とから、蓄電池出力
上限値［Ｗ］を算出する。一定時間より少なければ、電池残容量の数値を上限値とする。
【００７６】
このように、蓄電池出力の上限となる値を制限することにより、短時間で電池容量を使
い果たしてしまう可能性をさらに減少させることができる。
【００７７】
（第３の実施形態）
本実施形態の充放電制御システムは、第１、第２の実施形態のステップＳ１０４におけ
る蓄電池出力上限値の算出方法が異なる。
【００７８】
第１、第２の実施形態では、直近に充電を終える充電器２０の充電完了が予測される時
間を用いて電池出力の上限値を設定していた。
【００７９】
本実施形態の蓄電池管理プログラム１５２は、直近に充電を終える充電器２０を複数台
設定する機能をＣＰＵ１００に実現させる。または、予め定められた台数目（例えば、２
番目に充電を終える充電器）の予測終了時間を用いて電池出力の上限値を設定する機能を
ＣＰＵ１００に実現させる。
【００８０】
本実施形態の蓄電池情報ＤＢ１６２は、予測充電時間の下限値の値および予め入力部１
２１などから入力されて登録される充電器に関する複数台のデータを格納する。
【００８１】
例えば、２台設定する場合について述べる。
【００８２】
本実施形態の管理サーバ１０は、総放電量が予め定められた一定値より大きいまたは一
定値以上であると判定された場合に、蓄電池情報ＤＢ１６２から充電器の台数に関するデ
ータを読み出し、該当する台数目の放電が完了する時間を算出する。
【００８３】
充電器２０Ａが０．５［ｈ］、２０Ｂが１．０［ｈ］、２０Ｃ，…が１．５［ｈ］以上
の予測充電時間であった場合、２０Ａ、２０Ｂが直近に終えるので、２番目に充電が終わ
ると予想される充電器２０Ｂとの差分時間を演算し、予測終了時間を１．０［ｈ］後と設
定する。
【００８４】
このように、蓄電池出力の上限となる値を設定することにより、充電スタンド全体とし
ての電力の供給安定化を図ることができる。
【００８５】
なお、第２の実施形態と組合せ、上限値を設定する機能をさらに追加しても良い。
【００８６】
<変形例１>
図１０は、本実施形態の充放電制御システム及び充電器のネットワーク構成図である。
【００８７】
本実施形態と第１、第２の実施形態との違いは、充放電制御システムがデータサーバ５
０を備えている点である。本実施形態でサーバ１０は記憶部を備えていないかのごとく記
載しているが、備えていてもよい。
【００８８】
データサーバ５０は、ＣＰＵ５００と、ＲＡＭ（ＲＷＭ）５１０と、通信ＩＦ５２０と
、入力ＩＦ５３０と、表示ＩＦ５４１と、ＲＯＭ５５０と、記憶部５６０とを含む構成で
ある。その他、ＵＳＢメモリ等の外部記憶装置を装着するＩＦ（インターフェース）を備
えていてもよい。
【００８９】
ＲＯＭ５５０には、データ供給プログラム５５１、データ登録プログラム５５２が格納
されている。
【００９０】
データ供給プログラム５５１は、各管理サーバ１０に記憶部５６０に記憶されているデ
ータを供給する機能をＣＰＵに実現させる手段である。
【００９１】
本実施形態のＣＰＵ１００は、プログラムをＲＯＭ１５０から読み出し、その他必要な
データをデータサーバ５０から受け取り、各処理を行う。
【００９２】
なお、他のサーバ１０のＲＯＭ１５０から読み出し、プログラムを実行する形態であっ
てもよい。例えば、ＣＰＵ１００Ｂがサーバ１０Ａ内のＲＯＭ１５０Ａ（図示しない）か
らプログラムを読み出し、必要なデータを記憶部５６０から読み出して処理機能を発揮す
る形態であってもよい。
【００９３】
<変形例２>
上記の実施形態で説明した実施形態の管理サーバ１０は、一つのＣＰＵ（演算処理部）
、一つのＲＯＭから読み出し各機能を実現すると記載しているが、複数のＣＰＵ、ＲＯＭ
を備えていてもよい。例えば、図１１に示すように、これらＣＰＵ、ＲＯＭ一つのセット
として充電器管理機能を実現させる充電器管理部（手段）、蓄電池管理機能を実現する蓄
電池管理部（手段）、充電器２０は、充電器制御機能を実現する充電器制御部（手段）、
蓄電池装置３０は、蓄電池制御機能を実現する蓄電池制御部（手段）、を備えるとしても
よい。
【００９４】
<変形例３>
図１２は、本実施形態の充放電制御システムのネットワーク構成図である。
【００９５】
本実施形態と第１、第２の実施形態の充放電制御システムとの違いは、記憶媒体１７０
（２７０、３７０）を備えている点である。
【００９６】
記憶媒体１７０（２７０、３７０）は、記憶部１７１（２７１、３７１）と接続部１７
２（２７２、３７２）とを含む構成である。例えば、ＵＳＢメモリなどのフラッシュメモ
リやメモリカードなどの外部記憶媒体をいう。
【００９７】
記憶部１７１は、充電器管理プログラム１５１と、蓄電池管理プログラム１５２とを記
憶するメモリである。データの書き込みはできない非一次記憶媒体を用いることが好適で
あるが、データの読み出し、書き込みが随時できる半導体メモリ等の記憶媒体であっても
よい。その他、画像データを表示部１４０にて人が認識可能な文字や図柄を表示させる表
示プログラムや、コンテンツを通信ＩＦを介して充電器に配信させるプログラム等が格納
されていてもよい。
【００９８】
記憶部２７１は、充電器制御プログラム２５１を格納する。その他上記付随プログラム
を格納していても良い。
【００９９】
記憶部３７１は、蓄電池制御プログラム３５１を格納する。その他上記付随プログラム
を格納していても良い。
【０１００】
接続部１７２（２７２、３７２）は、サーバ等のコンピュータに設置されるＵＳＢ端子
などの外部ＩＦ１７３（２７３、３７３）と電気信号のやり取りが可能なように接続を行
う。
【０１０１】
以上、本発明のいくつかの実施形態を説明したが、これらの実施形態は、例として提示
したものであり、発明の範囲を限定することは意図していない。これら新規な実施形態は
、その他の様々な形態で実施されることが可能であり、発明の要旨を逸脱しない範囲で、
種々の省略、置き換え、変更を行うことができる。例えば車両には二輪車、三輪車、四輪
車が含まれる。これら実施形態やその変形は、発明の範囲や要旨に含まれるとともに、特
許請求の範囲に記載された発明とその均等の範囲に含まれる。
【符号の説明】
【０１０２】
１  …  通信ネットワーク
１０  …  管理サーバ
２０  …  充電器
３０  …  蓄電池装置
１００、２００、３００  …  ＣＰＵ（Central Processing Unit）（演算処理部）
１０１  …  充電器管理部
１０２  …  蓄電池管理部
２０１  …  充電器制御部
３０１  …  蓄電池制御部
１１０、２１０、３１０  …  ＲＡＭ（ＲＷＭ）（Random Access Memory）（Read Write
Memory）
１２０、３２０、３２０  …  通信ＩＦ(inter face)
１３０、２３０、３３０  …  入力部
１３１、２３１、３３１  …  入力ＩＦ
１４０、２４０、３４０  …  表示部
１４１、２４１、３４１  …  表示ＩＦ
１５０、２５０、３５０  …  ＲＯＭ(Read Only Memory)
１５１  …  充電器管理プログラム
１５２  …  蓄電池管理プログラム
２５１  …  充電器制御プログラム
３５１  …  蓄電池制御プログラム
１６０、２６０、３６０  …  記憶部
１６１、２６１、３６１  …  充電器情報ＤＢ(data base)
１６２、２６２、３６２  …  蓄電池情報ＤＢ
【図１】
0006013752.tif 000002
【図２】
0006013752.tif 000003
【図３】
0006013752.tif 000004
【図４】
0006013752.tif 000005
【図５】
0006013752.tif 000006
【図６】
0006013752.tif 000007
【図７】
0006013752.tif 000008
【図８】
0006013752.tif 000009
【図９】
0006013752.tif 000010
【図１０】
0006013752.tif 000011
【図１１】
0006013752.tif 000012
【図１２】
0006013752.tif 000013